(57)【要約】【課題】  大容量データの入力やバックアップ作成等の作業性を向上させること、また各種デバイスの後発的な使用を可能にすることにより装置の機能性を高める。【解決手段】  基板検査装置は、プリント基板を搬送するコンベアおよびプリント基板上に実装された電子部品等を撮像する基板検査ヘッド等の作業装置と、これらの作業装置を駆動制御するコントローラ４０とを有しており、これら作業装置およびコントローラ４０はカバー８等の内部に配置されている。前記カバー８には、コントローラ４０に電気的に接続されたＵＳＢ端子が外向きに設けられており、ＣＤドライブ等の周辺機器が接続可能に構成されている。【選択図】      図１
2005216905.tif 000002
【特許請求の範囲】
【請求項１】
基板に対して作業を行うための作業装置と、定められた作業を実施させるべく前記作業装置を駆動制御する制御装置とを有し、これらの装置が装置カバーの内部に配設されてなる基板への付加処理装置において、
前記制御装置に対して情報の入力および出力を可能とするＵＳＢ端子が前記装置カバーに外向きに設けられていることを特徴とする基板への付加処理装置。
【請求項２】
請求項１に記載の基板への付加処理装置において、
前記装置カバーの外側又はこの装置カバーに埋め込まれた状態で前記作業に関する各種情報を表示する表示装置が設けられ、前記ＵＳＢ端子がこの表示装置の近傍に設けられていることを特徴とする基板への付加処理装置。
【発明の詳細な説明】
【技術分野】
【０００１】
本発明は、回路基板（PCB；Printed  Circuit  Board）へ各種付加処理をするための基板への付加処理装置に関するものである。
【背景技術】
【０００２】
従来から、例えばスクリーン印刷機、ディスペンサ、表面実装機および基板検査装置等の基板への付加処理装置を搬送ラインに沿って並べ、プリント基板（PWB；Printed  Wiring  Board）をこの搬送ラインに沿って搬送しながら各装置においてはんだ印刷、はんだ塗布、電子部品の実装、検査等の各種処理を施すように構成された実装基板製造システムが一般に知られている。
【０００３】
実装基板製造システムを構成する基板検査装置等の上記の基板への付加処理装置は、一般に、装置内部にコントローラ（制御装置）が格納されており、このコントローラに接続されたＣＲＴ等の表示装置およびキーボード等の入力装置が装置前面側、例えばオペレータの通路側に設けられている。そして、前記表示装置を介して動作状況等を表示するとともに、前記入力装置を介してコントローラへの各種情報の入力を行うように構成されている。
【発明の開示】
【発明が解決しようとする課題】
【０００４】
従来の基板への付加処理装置では、必要なプログラムは予め上記コントローラに記憶された状態で出荷されるため、一般にはＣＤドライブ等のディスクドライブは搭載されていない。
【０００５】
従って、出荷後にソフトの追加や変更が必要となった場合には、通常、製造元の作業者が装置カバーを取外して直接コントローラにパソコンや携帯型のＣＤドライブ等を接続してソフトの追加や変更を行っているのが現状である。また、基板検査装置等では、検査時の画像データ等を生産履歴情報としてコントローラ内のＨＤＤに記憶するが、このような履歴情報のバックアップをユーザ側で作成することは従来不可能であり、特に必要な場合には、上記と同様に、コントローラに直接アクセスして作業を行う必要があった。そのため、作業性が非常に悪く、不便であるという問題があった。
【０００６】
そこで、ディスクドライブを予め搭載しておくとも考えられるが、ユーザ側の使用頻度との関係でコスト高になる場合もあり、またメディアの種類も用途に応じて異なるため必ずしも得策とは言えない。
【０００７】
また、この主の基板への付加処理装置では、後に表示装置や入力装置を増設してスペックアップを図ることが考えられるが、従来装置には、入力装置等を増設するための設備（端子）は設けられておらず対応が困難であるという問題もあった。
【０００８】
本発明は、上記の事情に鑑みてなされたものであって、大容量データの入力やバックアップ作成等の作業性を向上させること、また各種周辺機器の後発的な使用を可能にすることにより装置の機能性を高めることを目的とする。
【課題を解決するための手段】
【０００９】
上記の課題を解決するために、請求項１に係る基板への付加処理装置は、基板に対して作業を行うための作業装置と、定められた作業を実施させるべく前記作業装置を駆動制御する制御装置とを有し、これらの装置が装置カバーの内部に配設されてなる基板への付加処理装置において、前記制御装置に対して情報の入力および出力を可能とするＵＳＢ（Universal  Serial  Bus）端子が前記装置カバーに外向きに設けられているものである。
【００１０】
この基板への付加処理装置によれば、装置カバーを取外すことなく装置外部からＣＤ、ＤＶＤ、ＭＯ等の各種ディスクドライブを制御装置に接続することが可能となり、ソフト等の入力や各種データのバックアップ作成等の作業を簡単、かつ速やかに行うことができるようになる。しかも、ＵＳＢ対応の周辺機器であればディスクドライブには限られず、例えば液晶ディスプレイ等の表示装置、バーコードリーダ等の入力装置、あるいはそれ以外の周辺機器を増設することも可能となる。
【００１１】
また、この種の基板への付加処理装置では、装置カバーの外側又はこの装置カバーに埋め込まれた状態で作業に関する各種情報を表示する表示装置が設けられる場合が多いため、請求項２に係る基板への付加処理装置のように、前記ＵＳＢ端子をこの表示装置の近傍に設けるようにすれば、オペレータがこの表示装置を見ながら必要なデバイスを身近に置いてデータ入力やバックアップ作成等の状態を行うことが可能となる。
【発明の効果】
【００１２】
請求項１又は２に係る基板への付加処理装置によれば、装置カバーを取外すことなく装置外部からＣＤ、ＤＶＤ、ＭＯ等の各種ディスクドライブを簡単に制御装置に接続して使用することが可能となる。従って、従来では作業が困難であった制御装置に対する大容量データ（ソフト）の入力や情報のバックアップ作成等の作業性を格段に向上させることができる。また、液晶ディスプレイ等の表示装置やバーコードリーダ等の入力装置等、各種周辺機器を使用することも可能となるので、後発的に周辺機器を増設してスペックアップを図るような場合でも容易に対応することができるようになる。
【発明を実施するための最良の形態】
【００１３】
本発明の最良の形態について図面を参照しながら説明する。
【００１４】
図１〜図３は本発明に係る基板への付加処理装置の１つである基板検査装置を示しており、図１は同板検査装置を正面図で、図２は同検査装置を側面図で、図３は同検査装置を平面図でそれぞれ示している。基板検査装置（以下、検査装置という）の装置本体１は、支持脚７５上の基台の前面、上面、後面及び左右側面にそれぞれカバー５，６，７，８，９が被せられており、全体として略直方体の箱状に構成されるとともに、その上面における前部が傾斜した構成とされている。
【００１５】
上面カバー５の手前側は、図２に示すように開閉自在の開閉蓋５ａとなっており、この開閉蓋５ａを開蓋することにより、開口部５ｂがあらわれ、検査対象としての例えばプリント基板Ｐ（以下、基板Ｐという）の検査機構３０（図４参照）が露出するようになっている。左右の側面カバー８，９には、矩形状の搬入口８ａ及び搬出口９ａがそれぞれ対応する位置に形成されている。このうち装置に向かって左側の側面カバー８に設けられた搬入口８ａは、基板Ｐを検査機構３０へ搬入するためのものであり、装置に向かって右側の側面カバー９に設けられた搬出口９ａは、基板Ｐを検査機構３０から外部へ搬出するためのものである。
【００１６】
前面カバー６の上端付近には、向かって左寄りに、装置本体１の前方外側（図２における右側）に張出したアーム２１が設けられ、アーム２１の先端に、回動軸２２を介して入力・表示部３が設けられている。入力・表示部３は、回動軸２２に支持された載置台２０と、その上に設けられた入力装置１５及びディスプレイ装置１０（表示装置）からなる。入力装置１５はキーボードやマウス等からなり、外部情報を入力する装置である。ディスプレイ装置１０は、その入力情報や検査結果を表示する装置である。
【００１７】
入力・表示部３は、回動軸２２を中心に水平面内で回動させることができるようになっているとともに、図外のストッパにより、任意の位置で固定できるように構成されている。ディスプレイ装置１０は、その表示面をその回動円弧ｃ（図３）の外側に向けた状態で載置台２０に載置されており、更にその外側に入力装置１５が載置されている。従ってディスプレイ装置１０の表示面に正対した作業者ｍは、その表示内容を確認しつつ入力作業を行えるようになっている。
【００１８】
入力・表示部３は、図３に示すように、少なくともディスプレイ装置１０の表示面が検査装置の正面を向く中立位置を基準として、この中立位置から右方（図３において反時計回り）に略９０度回動した接近位置と、同中立位置から左方へ（図３において時計回り）略４５度回動した退避位置とに亘って変位可能に設けられており、前記開閉蓋５ａを開蓋し、かつ入力・表示部３を前記接近位置に配置すると、図４に示すように、入力・表示部３の一部が開口部５ｂに入り込む位置まで接近するように構成されている。すなわち、入力・表示部３を前記接近位置に配置することによって、ディスプレイ装置１０に正対した作業者ｍがそのすぐ体側に開口部５ｂから検査機構３０を目視でき、また、開口部５ｂを介してメンテナンス作業を行う場合には、入力・表示部３を退避位置に配置しておくことにより作業の邪魔にならないように構成されている。
【００１９】
図１に示すように、検査装置の前面側であって上記入力・表示部３の近傍にはＵＳＢ端子２５が設けられている。図示の例では、４つのＵＳＢ端子２５が上下一列に、かつ正面外側に向った状態で並設されている。これらのＵＳＢ端子２５は、例えば側面カバー８の端部に設けられる折り曲げ部分、すなわち装置の角部を外装する部分に配置されており、装置本体１の正面側から容易にアクセスできるようになっている。
【００２０】
装置本体１の内部に設けられる検査機構３０（作業装置）については、公知の機構なので詳細を省略するが、例えば基板Ｐを搬入出させるコンベアと、前後方向（図４に示す上下方向）に移動可能なテーブル上に支持されたコンベアと、モータによりボールねじ等を介して上記テーブルを移動させる機構と、基板の上方で左右方向に移動可能な基板検査ヘッドと、モータによりボールねじ等を介して上記基板検査ヘッドを移動させる機構とを備えている。基板検査ヘッドには基板Ｐの所定の検査位置で撮像する撮像手段（ＣＣＤカメラ等）が備えられ、例えば基板Ｐに実装された電子部品等を撮像し、その状態（位置ズレ等）を検査する。
【００２１】
また、装置本体１の内部には、検査機構３０の各作動を制御するとともに、撮像された画像を処理し、検査を実行するコントローラ４０が内蔵されている。
【００２２】
このコントローラ４０は、論理演算を実行する周知のＣＰＵ、そのＣＰＵを制御する種々のプログラムなどを予め記憶するＲＯＭおよび装置動作中に種々のデータを一時的に記憶するＲＡＭ等から構成される主制御手段、上記撮像手段により撮像された画像に所定の処理を施す画像処理回路からなる画像処理手段、各種ソフトを格納するとともに検査データや画像等の検査履歴を格納するＨＤＤかなる外部記憶手段、通信インターフェイス回路からなる通信制御手段、検査機構を駆動するサーボモータ等の各種ドライバからなる軸制御手段等が含まれている。
【００２３】
そして、前記入力・表示部３が上記通信制御手段を介して上記コントローラ４０に接続されており、これによって前記入力装置１５を介して必要な情報（データ）がコントローラ４０に入力される一方、前記検査機構３０の作動状況等がディスプレイ装置１０に表示されるようになっている。また、ＵＳＢ端子２５を介してＣＤドライブ等の各種周辺機器がコントローラ４０に対して接続可能に構成されている。
【００２４】
次に、以上のように構成された検査装置の作用について説明する。
【００２５】
上記の検査装置では、検査に先立ち、作業者ｍが検査条件や各種パラメータ等を入力装置１５から入力する。この際、入力すべき情報量が多い場合等、作業者ｍによる入力操作に時間を要するような場合には、ＣＤドライブ、ＤＶＤドライブ等の外部記憶装置をＵＳＢ端子２５に接続し、予め必要な情報を記憶したメディアから当該情報をコントローラ４０に読込むことにより迅速、かつ正確に入力作業を行うことが可能となる。
【００２６】
この場合、ＵＳＢ端子２５は入力・表示部３の近傍に設けられているため、例えば図１の一点鎖線に示すように、ディスクドライブ４２をＵＳＢ端子２５に繋ぎ、載置台２０上に外部記憶装置４２を置いた状態で作業を行うことで円滑に作業を行うことができる。
【００２７】
続いて検査機構３０による検査を実行する。具体的には、搬入口８ａから検査機構３０へ検査対象の基板Ｐが搬入され、前記撮像手段によって各検査位置での撮像がなされる。その画像は前記コントローラ４０によって画像処理がなされ、実装された電子部品の位置ズレ等の検査が実行される。検査結果はディスプレイ装置１０に出力されるとともに必要に応じてコントローラ４０内のＨＤＤに格納される。なお、検査完了、基板Ｐは搬出口９ａから搬出される。
【００２８】
ここで、コントローラ４０内のＨＤＤに格納された検査結果のバックアップ作成が必要になる場合には、上記と同様にディスクドライブ４２をＵＳＢ端子２５に接続し、コントローラ４０内のＨＤＤに格納された検査結果をメディアにコピーすることによりバックアップを簡単に作成することができる。
【００２９】
このように上記の検査装置では、装置本体１に複数のＵＳＢ端子２５が設けられており、ＣＤ、ＤＶＤ等のディスクドライブ４２を検査装置１の外側からこのＵＳＢ端子２５に接続するだけで、上記のような情報の入力やバックアップ作成等の作業、特に大容量の情報の入力作業やバックアップ作成等の作業を簡単に、かつ速やかに行うことができる。従って、同種の作業を行う場合に、装置カバーを取外して直接コントローラにパソコンやＣＤドライブ等のディスクドライブを接続する必要があった従来のこの種の検査装置と比較すると著しく作業性を向上させることが可能となる。
【００３０】
特に、殆どのディスクドライブでＵＳＢ対応のものが流通しているので、ＣＤドライブを始めとしてＤＶＤ、ＭＯ等の各種ドライブのうち任意のディスクドライブを選択して接続することができる。そのため、ユーザ側は、データの容量に応じて使用するドライブ（メディア）を自由に選択することができるという利点もある。
【００３１】
また、ディスクドライブ以外にもＵＳＢ対応の周辺機器は増えているため、例えばディスプレイ装置等の表示装置を増設したり、あるいはバーコードリーダ等の入力装置を新たに増設することも簡単に行うことができる。例えば、入力装置としてバーコードリーダを増設する場合には、コントローラ４０に必要なソフト（ドライバソフト等）をインストールし、バーコードリーダをＵＳＢ端子２５に接続するだけで簡単、かつ速やかに対応することができる。この場合、ソフトのインストールは、上記のようにディスクドライブ４２をＵＳＢ端子２５に接続して作業を行うことにより簡単、かつ速やかに行うことができる。従って、出荷後のスペックアップ等の要請についても容易に対応できるようになる。
【００３２】
なお、実施形態では、ディスプレイ装置１０や入力装置１５を直接コントローラ４０に接続しているが、これらディスプレイ装置１０等としてＵＳＢ対応のものを使用し、ディスプレイ装置１０等を複数のＵＳＢ端子２５のうち一部に接続して使用するように構成してもよい。このようにすればディスプレイ装置１０等自体の配線を短縮できるとともにディスプレイ装置１０や入力装置１５の交換等のメンテナンス性が向上する。
【００３３】
また、上記実施形態では基板への付加処理装置の一つとして部品検査装置を例として説明したが、本発明はこれ以外の基板への付加処理装置であるスクリーン印刷機、部品実装機あるいはリフロー炉等についても同様に適用可能である。この場合、設けられるＵＳＢ端子の数、位置等は、適用される基板への付加処理装置の具体的な構成、ＵＳＢ端子を使う周辺機器の種類や作業の内容に応じて適宜選定するようにすればよい。なお、基板への付加処理装置によっては、その動作内容のみを表示装置により表示し、入力装置はメンテナンス時等、特別の場合にのみ使用するものもある。従って、このような装置については、表示装置の近傍にＵＳＢ端子を設ける一方、入力装置としてＵＳＢ対応のものを適用し、必要なときにのみ入力装置を接続して使用するようにしてもよい。
【図面の簡単な説明】
【００３４】
【図１】本発明に係る基板への付加処理装置の１つである基板検査装置の正面図である。
【図２】同基板検査装置の側面図である。
【図３】同基板検査装置の平面図であり、入力・表示部が中立位置にある状態を示す。
【図４】同基板検査装置の開蓋の平面図であり、入力・表示部が近接位置にある状態を示す。
【符号の説明】
【００３５】
１  装置本体
５，６，７，８，９  カバー
１０  ディスプレイ装置
１５  入力装置
２５  ＵＳＢ端子
４０  コントローラ（制御装置）
【図１】
2005216905.tif 000003
【図２】
2005216905.tif 000004
【図３】
2005216905.tif 000005
【図４】
2005216905.tif 000006